(57)【要約】【課題】  枠部分スペースならびに配線具用スペースを確保しつつ、それを狭いスペースとして、非発熱部位の出現幅をできるだけ狭くできる床暖房パネルを提供する。【解決手段】  矩形状の床材２と発熱体３および配線具４とを有する床暖房パネル１であって、床材２の長手方向中央部分にて短手方向に渡って設けられた配線具用スペース５と、配線具用スペース５の両側にそれぞれ分けて設けられた２枚の発熱体３ａ，３ｂとを有しており、配線具用スペース５を間にした発熱体３ａ，３ｂ同士の間隔が、床材２短手端辺とそれに対向する発熱体３ａ，３ｂ端辺との間隔の２倍以内となっている。【選択図】図１
2006118840.tif 000002
【特許請求の範囲】
【請求項１】
矩形状の床材と発熱体および配線具とを有する床暖房パネルであって、床材の長手方向略中央部分にて短手方向に渡って設けられた配線具用スペースと、配線具用スペースの両側にそれぞれ分けて設けられた２枚の発熱体とを有しており、配線具用スペースを間にした発熱体同士の間隔が、床材短手端辺とそれに対向する発熱体端辺との間隔の２倍以内となっていることを特徴とする床暖房パネル。
【請求項２】
配線具用スペースを跨いで発熱体間に均熱板が架設されていることを特徴とする請求項１記載の床暖房パネル。
【請求項３】
配線具用スペースが、床材の長手方向中央から、隣接する床暖房パネルとのずらし貼り寸法の半分偏移させた位置に設けられていることを特徴とする請求項１または２記載の床暖房パネル。
【発明の詳細な説明】
【技術分野】
【０００１】
本願発明は、矩形状の床材と発熱体および配線具とを有する床材・ヒータ一体型の電気式の床暖房パネルに関するものである。
【背景技術】
【０００２】
上記床暖房パネルについては、たとえば図６および図７（ａ）（ｂ）に例示したように、発熱体３を床材２の裏面側に設け、この発熱体３を避けて床材２の長手方向端部付近に確保された配線具用スペース５に配線具４を設けたものが知られており（たとえば特許文献１参照）、配線具用スペース５の位置を揃えて隣同士連通させ、電線やコネクタ等の配線具４を結線させて、床暖房パネル１を複数枚並べて敷設している。
【特許文献１】特開平８−１２８６５９号公報
【発明の開示】
【発明が解決しようとする課題】
【０００３】
しかしながら、上記のとおりの従来の床暖房パネル１では、一般に、強度確保などのために、床材２の枠部分つまり床材２端辺と発熱体３端辺との間隔を、たとえば１５〜２５ｍｍ程度設けており、これに加えて配線具用スペース５を設けているため、一枚の床暖房パネル１の中だけでも大きな非発熱部位が生じ、さらに上記のとおりに複数並設させて形成された暖房エリア内では非発熱部位が連なってしまい、温度ばらつきの一因となっている。
【０００４】
そこで、以上のとおりの事情に鑑み、本願発明は、枠部分スペースならびに配線具用スペースを確保しつつ、それを狭いスペースとして、非発熱部位の出現幅をできるだけ狭くできる床暖房パネルを提供することを課題としている。
【課題を解決するための手段】
【０００５】
本願発明は、上記の課題を解決するものとして、第１には、矩形状の床材と発熱体および配線具とを有する床暖房パネルであって、床材の長手方向略中央部分にて短手方向に渡って設けられた配線具用スペースと、配線具用スペースの両側にそれぞれ分けて設けられた２枚の発熱体とを有しており、配線具用スペースを間にした発熱体同士の間隔が、床材短手端辺とそれに対向する発熱体端辺との間隔の２倍以内となっていることを特徴とする。
【０００６】
第２には、上記配線具用スペースを跨いで発熱体間に均熱板が架設されていることを特徴とする。
【０００７】
第３には、上記配線具用スペースが、床材の長手方向中央から、隣接する床暖房パネルとのずらし貼り寸法の半分偏移させた位置に設けられていることを特徴とする。
【発明の効果】
【０００８】
上記第１の発明によれば、床材の略中央に配線具用スペースを設けて、その両側に２枚に分けた発熱体を配置し、配線具用スペースの幅Ｗと、床材枠部分の幅つまり床材短手端辺およびそれに対向する発熱体端辺の間隔ｗとの関係をＷ≦２ｗにすることで、１枚の床暖房パネル内において床材枠部分と配線具用スペースが分離されるので、非発熱部位を従来よりも分散させることができ、さらにこの床暖房パネルを複数枚並設させた際にも非発熱部位が分散され、しかも配線具用スペース（幅Ｗ）の非発熱部位が床材枠部分スペース（隣接幅ｗ＋ｗ）の非発熱部位よりも狭くなるので、非発熱部位と発熱部位とが上手く交じり合って暖房スペース全体から受ける感覚が従来よりも均されたものとなり、温度ばらつきを効果的に抑制できるようになる。
【０００９】
上記第２の発明によれば、上記第１の発明と同様な効果が得られ、また、発熱体間の均熱板の存在により、配線具用スペースの非発熱部位と発熱部位との温度ムラをさらに抑えて、暖房スペース全体の温度ばらつきをより一層効果的に抑制することができる。
【００１０】
上記第３の発明によれば、上記第１および第２の発明と同様な効果が得られ、また、床暖房パネルをたとえば交互に一尺程度ずらしてそれぞれの短手端部が互い違いとなるように敷設する、所謂ずらし貼りを行う際に、床材の長手方向略中央部分に設けた配線具用スペースを隣同士連通させて、直線的に電気接続が可能となる。ずらし貼りに対応した床暖房パネルを実現できるのである。
【発明を実施するための最良の形態】
【００１１】
図１は、本願発明の一実施形態を示したものである。
【００１２】
本実施形態における床暖房パネル１は、パネル基材となる矩形状の床材２と、床材２の裏面側において長手方向（図中の左右方向）の略中央部分に位置し、短手方向（つまり長手方向に直交する幅方向。図中の上下方向）に渡って設けられた配線具用スペース５と、配線具用スペース５に設けられた配線具４と、配線具用スペース５の両側にそれぞれ分けて、床材２の長手方向に沿って設けられた２枚の矩形面状の発熱体３ａ，３ｂとを有している。
【００１３】
そして、配線具用スペース５を間にした発熱体３ａ，３ｂ同士の間隔Ｗが、床材２の短手端辺とそれに対向する発熱体３ａ，３ｂの短手端辺との間隔ｗの２倍以内（Ｗ≦２ｗ）となっている。この発熱体３ａ，３ｂ同士の間隔Ｗは、配線具用スペース５の幅寸法と実質的に同等であるとも言える。配線具用スペース５のすぐ真横に発熱体３ａ，３ｂが位置するためである。
【００１４】
図２に例示したように、以上のとおりの床暖房パネル１を複数並べて敷設すると、暖房スペース全体で、幅の異なる非発熱部位が発熱部位の間にて分散されて、非発熱部位と発熱部位とが上手く交じり合い、図５に例示したような従来受ける暖房感覚よりも均された感覚を全体に得ることができ、温度ばらつき感を効果的に抑制できるようになる。
【００１５】
なお、発熱体３ａ，３ｂのない配線具用スペース５の非発熱部位と、発熱体３ａ，３ｂによる発熱部位との温度ムラをさらに抑えて、暖房スペース全体の温度ばらつきをより一層効果的に抑制すべく、図１に例示したように、薄いアルミ板等でなる均熱板６を、配線具４及び配線具用スペース５を跨いで発熱体３ａ，３ｂ間に架け渡すように設けてもよい。この均熱板６に発熱体３ａ，３ｂからの熱が伝わり、その熱が均熱板６全体から床材２へ放熱されることで、配線具４・配線具用スペース５の直上と発熱体３ａ，３ｂの直上との温度差が緩和されることになる。
【００１６】
ところで、床暖房施工においては、パネル短手端部を一直線上に揃えると筋が一列に現れて見た目が悪く、また伸縮が発生したときにそれが目立つなどの恐れがあることから、たとえば図３に例示したように所謂ずらし貼りを行うことがしばしばある。この場合、上記図１のとおりの床暖房パネル１をそのまま使用すると、各々の配線具用スペース５がジグザグに現れて、直線的な電気接続ができず、配線が困難なものとなってしまう。
【００１７】
そこで、たとえば図４（ａ）（ｂ）に例示したように、各床暖房パネル１を、配線具用スペース５が床材２の長手方向中央からずらし貼り寸法Ｘの半分Ｘ／２偏移させた位置に設けられたものとすることで、ずらし貼りにおいて直線的な電気接続を実現できる。
【００１８】
より具体的には、図４（ａ）（ｂ）では、まず、上記偏移寸法Ｘ／２に合わせて一方を短く、他方を長くした２種類の発熱体３ａ，３ｂを用意しておき、配線具用スペース５を床材２中央から左側へ偏移させて、その左側に短い発熱体３ａ、右側に長い発熱体３ｂを設けた床暖房パネル１ａと、逆に配線具用スペース５を右側へ偏移させて、その右側に短い発熱体３ａ、左側に長い発熱体３ｂを設けた床暖房パネル１ｂとの２種類を用いる。そして、これら床暖房パネル１ａ，１ｂを順に並べると、配線具用スペース５が直線的に揃い、容易な電気接続が可能になる。
【００１９】
なお、発熱体３ａ、発熱体３ｂの長さ寸法Ｌ１，Ｌ２は、たとえばパネル全長１８１８ｍｍ、ｗ＝１５ｍｍ、Ｗ＝２０ｍｍ、Ｘ＝３０３ｍｍ（一尺ずらし）の場合、
Ｌ１＝（１８１８−２×ｗ−Ｗ−３０３）／２＝７３２．５
Ｌ２＝（１８１８−２×ｗ−Ｗ＋３０３）／２＝１０３５．５
となる。
【００２０】
また、たとえば図５に例示したように、１種類の床暖房パネル１のみで上記偏移に対応することも可能である。すなわち、短い発熱体３ａと長い発熱体３ｂを配線具用スペース５の両側に設けた１種類の床暖房パネル１を、順に１８０度回転させて並べればよい。この場合、雇い実などの実結合構造を床暖房パネル１に設けておくことで、１８０度回転させても互いに連結できる。
【図面の簡単な説明】
【００２１】
【図１】本願発明の一実施形態を示した裏面図および拡大断面図。
【図２】本願発明の敷設例について説明するための図。
【図３】ずらし貼りについて説明するための図。
【図４】（ａ）（ｂ）は、各々、本願発明の別の一実施形態を示した裏面図。
【図５】本願発明のさらに別の一実施形態を示した裏面図。
【図６】従来の床暖房パネルを例示した裏面図。
【図７】（ａ）（ｂ）は、各々、従来の敷設例について説明するための図。
【符号の説明】
【００２２】
１，１ａ，１ｂ  床暖房パネル
２  床材
３，３ａ，３ｂ  発熱体
４  配線具
５  配線具用スペース
６  均熱板
【図１】
2006118840.tif 000003
【図２】
2006118840.tif 000004
【図３】
2006118840.tif 000005
【図４】
2006118840.tif 000006
【図５】
2006118840.tif 000007
【図６】
2006118840.tif 000008
【図７】
2006118840.tif 000009